(57)【要約】【課題】吐出孔に残留スラリーが生じることを抑制することができるスラリー吐出装置を提供すること。【解決手段】その内部に空洞４を有する第一の部材２と、空洞４と連通する吐出孔５がその内部に形成された複数の凸部６を有する第二の部材３と、を備え、凸部６の突出長さｄが３〜５ｍｍであり、隣接する凸部６どうしの中心間距離ｌが３〜１３ｍｍであるスラリー吐出装置１。【選択図】図１
2010104947.tif 000002
【特許請求の範囲】
【請求項１】
その内部に空洞を有する第一の部材と、
前記空洞と連通する吐出孔がその内部に形成された複数の凸部を有する第二の部材と、を備え、
前記凸部の突出長さが３〜５ｍｍであり、
隣接する前記凸部どうしの中心間距離が３〜１３ｍｍであるスラリー吐出装置。
【請求項２】
前記第二の部材の外周部における前記凸部の内部に形成された前記吐出孔の孔径と、前記第二の部材の中心部における前記凸部の内部に形成された前記吐出孔の孔径が、非同一である請求項１に記載のスラリー吐出装置。
【請求項３】
前記第二の部材の外周部における前記凸部の内部に形成された前記吐出孔の孔径が、前記第二の部材の中心部における前記凸部の内部に形成された前記吐出孔の孔径に比して大きい請求項１又は２に記載のスラリー吐出装置。
【請求項４】
前記吐出孔の孔径が、前記第二の部材の中心部から外周部に向かって連続的に拡大又は縮小する請求項１又は２に記載のスラリー吐出装置。
【請求項５】
前記第二の部材の外周部における吐出方向の長さと、前記第二の部材の中心部における吐出方向の長さが、非同一である請求項１〜４のいずれか一項に記載のスラリー吐出装置。
【請求項６】
前記第二の部材の外周部における吐出方向の長さが、前記第二の部材の中心部における吐出方向の長さに比して短い請求項１〜５のいずれか一項に記載のスラリー吐出装置。
【請求項７】
前記第二の部材の吐出方向の長さが、前記第二の部材の中心部から外周部に向かって連続的に伸張又は短縮する請求項１〜５のいずれか一項に記載のスラリー吐出装置。
【請求項８】
請求項１〜７のいずれか一項に記載のスラリー吐出装置の前記空洞にスラリーを充填する充填工程と、
平面を有する容器の前記平面の上方に、前記平面と前記凸部の突出端とを３〜１０ｍｍの距離に隔てた状態で前記凸部の突出端を対向させるとともに、前記スラリーを前記平面上に吐出する吐出工程と、を有するスラリーの吐出方法。
【請求項９】
前記吐出工程が、前記平面上に吐出したスラリーを、前記平面上に１〜１０ｍｍの高さで保持する工程である請求項８に記載のスラリー吐出方法。
【請求項１０】
前記スラリーの粘度が、１０〜１０００ｄＰ・ｓである請求項８又は９に記載のスラリーの吐出方法。
【発明の詳細な説明】
【技術分野】
【０００１】
本発明はスラリー吐出装置及びスラリーの吐出方法に関し、更に詳しくは、吐出孔に残留スラリーが生じることを抑制することができるスラリー吐出装置、及びスラリー残留量を低減し、吐出したスラリーの液面を種々の形状に精度良く形成することができるスラリーの吐出方法に関する。
【背景技術】
【０００２】
自動車の排ガスや廃棄物の焼却時に発生する焼却排ガス等に含まれる、塵やその他の粒子状物質を捕集するため、セラミックスからなるハニカムフィルタが使用されている。特に、内燃機関から排出されるスート等の粒子状物質（以下、「ＰＭ」ともいう）を効率的に除去するために、ディーゼルパティキュレートフィルタ（以下、「ＤＰＦ」ともいう）が使用されている。
【０００３】
ＤＰＦには、通常、粒子状物質の捕集効果を高めるために、セルの一方の端面と他方の端面に相補的な市松模様を呈するように目封止が施されている（例えば、特許文献１参照）。このような目封止は、焼成前のＤＰＦの端面に粘着シート等を貼着し、画像処理を利用したレーザー加工等により、粘着シート等の目封止すべきセルに対応する部分にのみ孔開けをしてマスクを施し、そのマスクを介してスラリー中に浸漬した後、焼成することで形成している（例えば、特許文献２参照）。
【０００４】
目封止すべきセルに充填されるスラリーの深さは、均一であることが好ましい。これは、焼成する際に、部分的な収縮が生じることを抑制することができ、ＤＰＦの劣化を抑制することができるからである。スラリーを均一な深さで目封止すべきセルに充填させるために、浸漬するために用いられるスラリーの液面は、一定の高さで平面状に形成することが好ましい。
【０００５】
しかしながら、浸漬するために用いられるスラリーの液面は、ロクロを用いて平面状に形成していたため、使用者の技能によって差が生じていた。そこで、スラリーの液面を、ロクロを用いずに一定の高さで平面状に形成することができるスラリー吐出装置が開発されている。
【０００６】
【特許文献１】特開２００７−２９６５１２号公報
【特許文献２】特開２００１−３００９２２号公報
【０００７】
図３は、従来のスラリー吐出装置を用いてスラリーを吐出した状態の一例を示す模式図である。図３に示すように、スラリー吐出装置２０を用いると、吐出孔５に残留スラリー２１が生じる場合が多くあった。このような残留スラリー２１が生じると、次に使用する際に、スラリーの物性に影響を及ぼし、ＤＰＦを劣化させるという問題がある。また、ＤＰＦは中心部と外周部でその圧力損失が異なる場合が多いため、セルに充填されたスラリーの深さを中心部と外周部で異なるようにして形成した目封止を有するＤＰＦを製造する必要もある。従来の吐出装置２１では、このような問題に対応することができなかった。
【発明の開示】
【発明が解決しようとする課題】
【０００８】
本発明は、このような従来技術の有する問題点に鑑みてなされたものであり、その課題とするところは、吐出孔に残留スラリーが生じることを抑制することができるスラリー吐出装置を提供することにある。また、その課題とするところは、スラリー残留量を低減し、吐出したスラリーの液面を種々の形状に精度良く形成することができるスラリーの吐出方法を提供することにある。
【課題を解決するための手段】
【０００９】
本発明者らは上記課題を達成すべく鋭意検討した結果、吐出孔がその内部に形成された所定の長さ及び間隔の凸部を第二の部材に有することによって、上記課題を達成することが可能であることを見出し、本発明を完成するに至った。また、本発明のスラリー吐出装置を使用し、平面と凸部の突出端とを所定の距離隔ててスラリーを吐出することによって、上記課題を達成することが可能であることを見出し、本発明を完成するに至った。
【００１０】
即ち、本発明によれば、以下に示すスラリー吐出装置及びスラリーの吐出方法が提供される。
【００１１】
［１］その内部に空洞を有する第一の部材と、前記空洞と連通する吐出孔がその内部に形成された複数の凸部を有する第二の部材と、を備え、前記凸部の突出長さが３〜５ｍｍであり、隣接する前記凸部どうしの中心間距離が３〜１３ｍｍであるスラリー吐出装置。
【００１２】
［２］前記第二の部材の外周部における前記凸部の内部に形成された前記吐出孔の孔径と、前記第二の部材の中心部における前記凸部の内部に形成された前記吐出孔の孔径が、非同一である前記［１］に記載のスラリー吐出装置。
【００１３】
［３］前記第二の部材の外周部における前記凸部の内部に形成された前記吐出孔の孔径が、前記第二の部材の中心部における前記凸部の内部に形成された前記吐出孔の孔径に比して大きい前記［１］又は［２］に記載のスラリー吐出装置。
【００１４】
［４］前記吐出孔の孔径が、前記第二の部材の中心部から外周部に向かって連続的に拡大又は縮小する前記［１］又は［２］に記載のスラリー吐出装置。
【００１５】
［５］前記第二の部材の外周部における吐出方向の長さと、前記第二の部材の中心部における吐出方向の長さが、非同一である前記［１］〜［４］のいずれかに記載のスラリー吐出装置。
【００１６】
［６］前記第二の部材の外周部における吐出方向の長さが、前記第二の部材の中心部における吐出方向の長さに比して短い前記［１］〜［５］のいずれかに記載のスラリー吐出装置。
【００１７】
［７］前記第二の部材の吐出方向の長さが、前記第二の部材の中心部から外周部に向かって連続的に伸張又は短縮する前記［１］〜［５］のいずれかに記載のスラリー吐出装置。
【００１８】
［８］前記［１］〜［７］のいずれかに記載のスラリー吐出装置の前記空洞にスラリーを充填する充填工程と、平面を有する容器の前記平面の上方に、前記平面と前記凸部の突出端とを３〜１０ｍｍの距離に隔てた状態で前記凸部の突出端を対向させるとともに、前記スラリーを前記平面上に吐出する吐出工程と、を有するスラリーの吐出方法。
【００１９】
［９］前記吐出工程が、前記平面上に吐出したスラリーを、前記平面上に１〜１０ｍｍの高さで保持する工程である前記［８］に記載のスラリー吐出方法。
【００２０】
［１０］前記スラリーの粘度が、１０〜１０００ｄＰ・ｓである前記［８］又は［９］に記載のスラリーの吐出方法。
【発明の効果】
【００２１】
本発明のスラリー吐出装置は、吐出孔に残留スラリーが生じることを抑制することができるという効果を奏するものである。
【００２２】
また、本発明のスラリーの吐出方法によれば、スラリー残留量を低減し、吐出したスラリーの液面を種々の形状に精度良く形成することができるという効果を奏するものである。
【発明を実施するための最良の形態】
【００２３】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２４】
１．スラリー吐出装置
図１は、本発明のスラリー吐出装置の一実施形態を示す模式図である。図１に示すように、本実施形態のスラリー吐出装置１は、その内部に空洞４を有する第一の部材２と、空洞４と連通する吐出孔５がその内部に形成された複数の凸部６を有する第二の部材３と、を備えている。図１に示すようなスラリー吐出装置１を用いると、スラリーは第一の部材２の導入孔７から空洞４に充填した後、空洞４から第二の部材３のそれぞれの吐出孔５へ均等に流入し、凸部６から吐出される。
【００２５】
また、図２は、本発明のスラリー吐出装置の一実施形態を示す底面図である。図２に示すように、本実施形態のスラリー吐出装置１は、第一の部材２と、吐出孔がその内部に形成された複数の凸部６を有する第二の部材３と、を備えている。図２において、第二の部材３の形状は円形であるが、本発明のスラリー吐出装置において、第二の部材の形状は特に限定されるものではなく、その目的に応じて適宣設計することができる。例えば、吐出したスラリーをＤＰＦの目封止に使用する場合、ＤＰＦの外形状に適合するように設計することが好ましい。より具体的には、円形、楕円形、四角形等の形状に設計することができる。
【００２６】
１．１  第一の部材
第一の部材２は、その内部に空洞４を有するものである。空洞４の大きさは、充填させるスラリーが均等に第二の部材３の吐出孔５に流入可能な大きさであれば良い。なお、図１において、スラリーを空洞４に充填させる導入孔７は、第一の部材２の上方に形成されているが、本発明のスラリー吐出装置はこの位置に限定されるものではなく、スラリーが均等に第二の部材３の吐出孔５に流入可能な限り、任意の位置に形成しても良い。
【００２７】
１．２  第二の部材
第二の部材３は、空洞４と連通する吐出孔５がその内部に形成された複数の凸部６を有するものであり、凸部６の突出長さｄ及び隣接する凸部６どうしの中心間距離ｌが所定の値をとるものである。このような凸部６を有することで、吐出孔５からスラリーを吐出させた場合に、吐出孔５に残留スラリーが生じることを抑制することができる。
【００２８】
凸部６の突出長さｄは、３〜５ｍｍであり、３．５ｍｍ以上、５ｍｍ未満であることが好ましく、４ｍｍ以上、５ｍｍ未満であることが更に好ましい。突出長さｄがこの範囲外であると、スラリー吐出装置１に残留するスラリーの量が多くなる場合がある。また、図１においては、凸部６の突出長さｄは全て同一であるが、本発明のスラリー吐出装置はこれに限定されるものではなく、第二の部材３の外周部における吐出長さと、第二の部材３の中心部における吐出長さが、非同一であっても良い。例えば、中心部から外周部に向かって等間隔で短縮、又は伸長する、といったようにしても良い。尚、本明細書中、第二の部材の外周部とは、吐出したスラリーの最外周からその５ｍｍ内側までの領域をいう。また、第二の部材の中心部とは、中心から半径で５０ｍｍ以内の領域をいう。
【００２９】
隣接する凸部６どうしの中心間距離ｌは、３〜１３ｍｍであり、４〜１２ｍｍであることが好ましく、６〜１０ｍｍであることが更に好ましい。中心間距離ｌがこの範囲外であると、スラリー吐出装置１に残留するスラリーの量が多くなったり、スラリーの液面を種々の形状に精度良く形成することができなくなったりする場合がある。尚、中心間距離ｌは第二の部材３の底面全体に亘って均一であることが好適であるが、目的に応じて、中心部を短くしたり、外周部を短くしたりする等、任意の設定が可能である。中心間距離ｌを均一としない場合には、吐出孔５全体の３０％以上が上述の範囲内となっていることが必要であり、５０％以上が上述の範囲内となっていることが好ましく、全てが上述の範囲内となっていることが最も好ましい。
【００３０】
中心間距離は上述の範囲内であれば、第二の部材の外周部における中心間距離と第二の部材の中心部における中心間距離が、非同一であっても良く、第二の部材の外周部における中心間距離が、第二の部材の中心部における中心間距離に比して長いことがより好ましい。このように中心間距離を任意に設定することは、吐出したスラリーの液面の形状を精度良く好適に形成するのに利用することができる。
【００３１】
図１においては、吐出孔５の孔径が、第二の部材３の中心部から外周部に向かって一定である例を示しているが、本発明のスラリー吐出装置はこれに限定されるものではなく、第二の部材の外周部における凸部の内部に形成された吐出孔の孔径と、第二の部材の中心部における凸部の内部に形成された吐出孔の孔径が、非同一であっても良い。より具体的には、図４Ａに示すように、第二の部材３３の外周部における凸部３６の内部に形成された吐出孔３５の孔径が、第二の部材３３の中心部における凸部３８の内部に形成された吐出孔３７の孔径に比して大きい例や、図４Ｂに示すように、第二の部材４３の外周部における凸部４６の内部に形成された吐出孔４５の孔径が、第二の部材の中心部における凸部４８の内部に形成された吐出孔４７の孔径に比して小さい例を挙げることができる。このように吐出孔の孔径を変化させる結果、大孔径部分はスラリーを多く吐出させ、小孔径部分は少なく吐出させることができる。従って、例えば、吐出したスラリーをＤＰＦの目封止に使用する場合、用途上の応用例として、排ガス流量が大きい中心部はスラリーを多く吐出させて目封止を強固に配設することができる。また、製造上の応用例としては、第一の部材２の形状故に外周部に吐出圧力がかかり難い傾向がある場合には、外周部を相対的に大孔径として中心部とのバランスを図ることもできる。
【００３２】
また、図６Ａに示すように、吐出孔７５の孔径を、第二の部材７３の中心部から外周部に向かって連続的に拡大しても良い。あるいは図７Ｂに示すように、吐出孔８５の孔径は、第二の部材８３の中心部から外周部に向かって連続的に縮小しても良い。このように、吐出孔の孔径を、第二の部材の中心部から外周部に向かって連続的に拡大又は縮小することで、スラリーの液面を平面状に形成するのではなく、例えば、凸状や凹状等、種々の形状に精度良く形成することができる。
【００３３】
吐出孔の形状は特に限定されるものではなく、例えば、円形・四角形・三角形等がある。例えば円形と同等のぬれ縁長さを有する多角形の吐出孔を用いることにより、円形のと出孔で吐出した際と同等の品質を得られる。吐出孔の配列（即ち、凸部の配列）も特に限定されるものではなく、ランダム状に配置する、放射状に配置する、碁盤の目状に配置する等、任意に適宣選択して配置することができる。これらの中でも、吐出孔の間隔（即ち、中心間距離ｌ）を制御し易い等の観点で、碁盤の目状に配置することが好ましい。
【００３４】
図１においては、第二の部材３の吐出方向の長さｆが、第二の部材３の中心部から外周部に向かって一定である例を示しているが、本発明のスラリー吐出装置はこれに限定されるものではなく、例えば図５Ａや図５Ｂに示すように、第二の部材の外周部における吐出方向の長さと、第二の部材の中心部における吐出方向の長さが、非同一であっても良い。より具体的には、図５Ａに示すように、第二の部材５３の吐出方向の長さｆを、第二の部材５３の中心部から外周部に向かって連続的に短縮しても良く、あるいは図５Ｂに示すように、第二の部材６３の中心部から外周部に向かって連続的に伸長しても良い。このように吐出方向の長さｆを非同一にする結果、流路抵抗に違いが生じ、短い部分はスラリーを多く吐出させ、長い部分は少なく吐出させることができる。従って、例えば、吐出したスラリーをＤＰＦの目封止に使用する場合、用途上の応用例として、排ガス流量が大きい中心部はスラリーを多く吐出させて目封止を強固に配設することができる。また、製造上の応用例としては、第一の部材２の形状故に外周部に吐出圧力がかかり難い傾向がある場合には、外周部の吐出方向の長さｆを相対的に短くして中心部とのバランスを図ることもできる。更に、このように第二の部材の吐出方向の長さｆを、第二の部材の中心部から外周部に向かって連続的に伸長又は短縮することで、スラリーの液面を平面状に形成するのではなく、例えば、凸状や凹状等、種々の形状に精度良く形成することができる。また、図５Ａに示すようなスラリー吐出装置５１を用いてスラリーを吐出する際には、その圧力損失を制御することができ、外周部にある吐出孔の内部にスラリーが残留することを更に抑制することができる。
【００３５】
２．スラリーの吐出方法
本発明のスラリーの吐出方法は、「１．スラリー吐出装置」に記載のスラリー吐出装置の空洞にスラリーを充填する充填工程と、平面を有する容器の平面の上方に、平面と凸部の突出端とを３〜１０ｍｍの距離に隔てた状態で凸部の突出端を対向させるとともに、スラリーを平面上に吐出する吐出工程と、を有する。このような方法でスラリーを吐出することで、スラリー吐出装置に残留するスラリーの量を低減することができ、吐出したスラリーの液面を種々の形状に精度良く形成することができる。
【００３６】
図７は、本発明のスラリーの吐出方法の一実施形態によりスラリーを吐出した状態の一例を示す模式図である。なお、図７においては、スラリー吐出装置は図１に示したスラリー吐出装置１を用いているが、本発明のスラリー吐出方法に使用されるスラリー吐出装置はこれに限定されるものではなく、例えば、図４〜６に示したスラリー吐出装置３１、４１、５１、６１、７１、８１を使用しても良い。なお、以下の説明では、図１に記載したスラリー吐出装置１を使用したものとして記載する。
【００３７】
図７に示すように、スラリー吐出装置１は、平面１１を有する容器１０の上方に、平面１１と凸部６の突出端１２とを所定の距離Ｗに隔て、凸部６の突出端１２を平面１１と対向させた状態で配置されている。また、平面１１上には、所定の高さＴでスラリー１３が保持されている。更に、スラリー吐出装置１の吐出孔５には、図３に示すような、残留スラリー２１が生じない。
【００３８】
２．１  充填工程
充填工程は、スラリー吐出装置１の第一の部材２の内部に存する空洞４にスラリーを充填させる工程である。充填方法は特に限定されるものではなく、例えば、導入孔７から充填するといった方法で行う。
【００３９】
スラリーは、少なくともセラミック粉末と、スラリー用分散媒を混練することにより調製することができる。セラミック粉末の種類は特に限定されなく、例えば、炭化珪素粉末やコージェライト粉末等を好適に用いることができる。スラリー用分散媒の好適例としては、アセトン、エタノール、メタノール等の有機溶媒や水等がある。
【００４０】
スラリーには、必要に応じて、結合剤、解膠剤等の添加剤を更に加えても良い。結合剤としては、ポリビニルアルコール（ＰＶＡ）等の樹脂やでんぷん等の多糖類系の材料を用いることができる。また、加熱によってゲル化する特性を有する熱ゲル硬化性の結合剤を併用することがより好ましい。熱ゲル硬化性の結合剤としては、メチルセルロースを好適に用いることができる。
【００４１】
スラリーの粘度は、１０〜１０００ｄＰ・ｓであることが好ましく、５０〜５００ｄＰ・ｓであることが更に好ましく、１００〜３００ｄＰ・ｓであることが特に好ましい。粘度が１０ｄＰ・ｓ未満であると、平面１１上に所定の高さＴで保持されない場合がある。一方、１０００ｄＰ・ｓ超であると、吐出したスラリーの液面の形状を種々の形状に精度良く形成できない場合がある。
【００４２】
２．２  吐出工程
吐出工程は、スラリー吐出装置１を容器１０の平面１１の上方に、平面１１と凸部６の突出端１２とを所定の距離Ｗに隔てた状態で凸部６の突出端１２を対向させるとともに、スラリー吐出装置１の第一の部材２に存する空洞４の内部に充填させたスラリーを吐出孔５から平面１１上に吐出する工程である。また、吐出工程は、平面１１上に１〜１０ｍｍの高さＴでスラリー１３を保持する工程であることが好ましい。１〜１０ｍｍの高さＴの範囲内となる様、高さＴを測定しながら吐出させる手法も好適であるが、量産工程においてより簡便に所望の高さＴを得るには、予め、充填工程においてどれだけの容積のスラリーを充填し、それを吐出すれば所望の高さＴを実現できるかを予備調査しておき、スラリーの充填量で制御するという方法をとることもできる。
【００４３】
平面１１と凸部６の突出端１２とを隔てた距離Ｗは、３〜１０ｍｍであり、４〜９ｍｍであることが好ましく、５〜８ｍｍであることが更に好ましい。距離Ｗがこの範囲外であると、スラリー吐出装置１に残留するスラリーの量が多くなったり、吐出したスラリーの液面形状にばらつきが生じたりする場合がある。
【００４４】
平面１１上に保持されたスラリー１３の高さＴは、１〜１０ｍｍであることが好ましく、２〜９ｍｍであることが更に好ましく、３〜８ｍｍであることが特に好ましい。高さＴが１ｍｍ未満であると、スラリー吐出装置１に残留するスラリーの量が多くなる場合がある。一方、１０ｍｍ超であると、スラリー吐出装置１に残留するスラリーの量が多くなったり、スラリーの液面を種々の形状に精度良く形成することができなくなったりする場合がある。尚、高さＴは、容器の内側面にゲージを設けておく、或いはスラリー吐出後にゲージを立てる等の簡便な方法にて、測定可能である。また、スラリーの高さはスラリー吐出直後に測定することとし、吐出したスラリーが吐出されたままの形状をしている場合には、その頂の高さとし、吐出されたままの形状を保持していない場合には、吐出直後の形状で最も高い高さとする。
【００４５】
また、スラリー１３の高さＴと距離Ｗの関係として、好ましくはＴ≦Ｗであり、更に好ましくはＴ≦０．９Ｗであり、特に好ましくはＴ≦０．８Ｗである。そして、高さＴは平面全体に亘って均一（フラット状）である必要はなく、目的に応じて中央部を長くしたり（凸状）、外周部を長くしたり（凹状）等、任意に選択することができる。この場合、少なくとも高さＴが上述の範囲を満たしている部分が存在することが必要であり、更に最も高さＴが低い部分が上述の範囲を満たしていることが好ましく、何れの部分の高さＴも上述の範囲を満たしていることが最も好ましい。なお、スラリー１３の高さＴは、スラリー吐出装置の吐出長さ、中心間距離、吐出孔の孔径勾配、平面と吐出端の距離により制御することができる。
【００４６】
本発明のスラリーの吐出方法を用いて吐出したスラリーは、例えば、ハニカム構造体を目封止するための目封止材として好適に用いることができる。吐出されたスラリーは、従来のものとは異なり、液面を任意の形状に精度良く形成することができる。従って、ハニカム構造体をＤＰＦとして使用する場合に、圧力損失が大きいセルには浅く、圧力損失が小さいセルには深く目封止を充填させる等任意に設定することができる。
【実施例】
【００４７】
以下、本発明を実施例に基づいて具体的に説明するが、本発明はこれらの実施例に限定されるものではない。なお、実施例、比較例中の「部」は、特に断らない限り質量基準である。また、各種物性値の測定方法、及び諸特性の評価方法を以下に示す。
【００４８】
［スラリー液面の形状］：容器の平面に吐出したスラリーの液面を、レーザー変位計（商品名「ＬＫ−Ｇ３５」、キーエンス社製）を用いて測定した。１回の吐出について中心部（中心からφ５０ｍｍ以内）で設定した吐出スラリ−の高さＴに対して、高低差バラツキが±０．２ｍｍ以内である場合を「バラツキ小」と評価し、±０．２ｍｍより大きい場合を「バラツキ大」と評価した。更に、「バラツキが小」と評価した場合には、中心部と外周部（吐出したスラリーの最外周より５ｍｍ内側）での高さＴの差が０．３ｍｍ未満の場合を「フラット」と評価し、中心部が外周部に比べて０．３〜０．５ｍｍ高い場合を「やや凸」と評価し、中心部が外周部に比べて０．５ｍｍ以上高い場合を「凸」と評価した。また、中心部が外周部に比べて０．３〜０．５ｍｍ低い場合を「やや凹」と評価し、中心部が外周部に比べて０．５ｍｍ以上低い場合を「凹」と評価した。
【００４９】
［スラリー吐出量の評価］：充填したスラリーと、吐出したスラリーの質量差を電子天秤（商品名「ＧＸ−１２Ｋ」、エーアンドデイ社製）を用いて測定し、５質量％以内である場合を「○」と評価し、５〜８質量％である場合を「△」と評価し、８質量％超である場合を「×」と評価した。
【００５０】
［スラリーの粘度（ｄＰ・ｓ）］：回転粘度計（商品名「ＶＴ−０４Ｆ」、ＲＩＯＮ社製）により測定した。
【００５１】
（スラリーの調製）
セラミックス粉末を１００部、水を５０部、メチルセルロースを５部、それぞれ加えて混練することでスラリーを調製した。
【００５２】
（実施例１）
本発明のスラリー吐出装置を用い、調製した粘度２００ｄＰ・ｓのスラリーを吐出した。より具体的には、図２に示すような底面（吐出孔が碁盤の目並びに配置されている）を有し、図６Ａに示すように、凸部７６の突出長さｄが３ｍｍで一定で、吐出方向の長さｆが１３ｍｍで一定で、隣接する凸部７６どうしの中心間距離ｌが８ｍｍで一定で、吐出孔７５の形状が「円形」であり、スラリー吐出装置７１のサイズが２０ｃｍであり、吐出孔の孔径７１（第二の部材の中心部における吐出孔の孔径が２．０ｍｍ）を中心部から外周部に向かって連続的に７／１００倍拡大したスラリー吐出装置７１を用いて、容器の平面と凸部の突出端との距離Ｗを５ｍｍと設定し、吐出したスラリーの高さを３ｍｍとし、スラリー液面の形状予定を「フラット」とした条件でスラリーを吐出した。スラリー吐出量の評価は「○」であり、スラリーの液面の形状は「フラット」であり、スラリーの液面のばらつきは小さかった。
【００５３】
（実施例２〜１６）
表１に記載した条件としたこと以外は、実施例１と同様にしてスラリーを吐出した。評価結果を併せて表１に示す。
【００５４】
【表１】
2010104947.tif 000003
【００５５】
（実施例１７〜３２）
表２に記載した条件としたこと以外は、実施例１と同様にしてスラリーを吐出した。評価結果を併せて表２に示す。
【００５６】
【表２】
2010104947.tif 000004
【００５７】
（比較例１〜１２）
表３に記載した条件としたこと以外は、実施例１と同様にしてスラリーを吐出した。評価結果を併せて表３に示す。
【００５８】
【表３】
2010104947.tif 000005
【００５９】
本発明のスラリー吐出方法を用いてスラリーを吐出させた場合は、スラリー吐出装置のサイズ、吐出孔の形状、吐出孔の孔径勾配、凸部の吐出長さに係らず、スラリー吐出量の評価は「○」又は「△」（実施例９，１４）であり、中心部でのスラリーの高低差が「バラツキが小」であり、スラリーの液面の形状を所望の形状又はそれに近い形状（実施例９，１４）とすることができる。一方、本発明のスラリー吐出方法を用いずにスラリーを吐出させた場合、より具体的には、凸部の突出長さが所望の範囲に無い場合（比較例１〜４）や吐出させたスラリーの高さが短い場合（比較例７）は、スラリー吐出量の評価が「×」である。また、隣接する凸部どうしの中心間距離が所望の範囲に無い場合（比較例５、６）、吐出させたスラリーの高さが高い場合（比較例８）、容器の平面と凸部の突出端との距離が所望の範囲に無い場合（比較例９、１０）は、スラリー吐出量の評価が「×」であることに加えて、中心部でのスラリーの高低差が「バラツキが大」であり、スラリーの液面の形状を所望の形状にすることができない。更に、著しく高い又は低い値の粘度のスラリーをと出した場合（比較例５，６）は、スラリー吐出量の評価は「△」であり、中心部でのスラリーの高低差が「バラツキが小」であるが、スラリーの液面の形状を所望の形状にすることができない。
【００６０】
（比較例１１）
従来のスラリー吐出装置、即ち、凸部が形成されていないスラリー吐出装置を用いてスラリーを吐出させた。従来のスラリー吐出装置を用いてスラリーを吐出した状態の一例を示す模式図を図３に示す。図３からわかるように、従来のスラリー吐出装置を用いると、吐出孔に残留スラリーが生じる場合がある。
【００６１】
実施例１と比較例１１の結果から、本発明のスラリー吐出装置を用いてスラリーを吐出させることで、吐出孔に残留スラリーが生じることを抑制することができることがわかる。
【産業上の利用可能性】
【００６２】
本発明のスラリー吐出装置及びそれを用いたスラリー吐出方法は、ＤＰＦ等の目封止の配設に経済的かつ効率的に使用することができる。そのため、公害防止等の環境対策、高温ガスからの製品回収等の用途として用いられるフィルタの製造に好適に利用可能である。
【図面の簡単な説明】
【００６３】
【図１】本発明のスラリー吐出装置の一実施形態を示す模式図である。
【図２】本発明のスラリー吐出装置の一実施形態を示す底面図である。
【図３】従来のスラリーの吐出装置を用いてスラリーを吐出した状態の一例を示す模式図である。
【図４Ａ】本発明のスラリー吐出装置の他の実施形態を示す模式図である。
【図４Ｂ】本発明のスラリー吐出装置の更に他の実施形態を示す模式図である。
【図５Ａ】本発明のスラリー吐出装置の更に他の実施形態を示す模式図である。
【図５Ｂ】本発明のスラリー吐出装置の更に他の実施形態を示す模式図である。
【図６Ａ】本発明のスラリー吐出装置の更に他の実施形態を示す模式図である。
【図６Ｂ】本発明のスラリー吐出装置の更に他の実施形態を示す模式図である。
【図７】本発明のスラリーの吐出方法の一実施形態によりスラリーを吐出した状態の一例を示す模式図である。
【符号の説明】
【００６４】
１，３１，４１，５１，６１，７１，８１：スラリー吐出装置、２：第一の部材、３，３３，４３，５３，６３，７３，８３：第二の部材、４：空洞、５，５５，６５，７５，８５：吐出孔、６，５６，６６，７６，８６：凸部、３５，４５：第二の部材の外周部における吐出孔、３６，４６：第二の部材の外周部における凸部、３７，４７：第二の部材の中心部における吐出孔、３８，４８：第二の部材の中心部における凸部、７：導入孔、ｄ：突出長さ、ｌ：中心間距離、ｆ：吐出方向の長さ、１０：容器、１１：平面、１２：突出端、１３：スラリー、Ｗ：平面と凸部の突出端との距離、Ｔ：スラリーの高さ、２０：スラリー吐出装置、２１：残留スラリー。
【図１】
2010104947.tif 000006
【図２】
2010104947.tif 000007
【図３】
2010104947.tif 000008
【図４Ａ】
2010104947.tif 000009
【図４Ｂ】
2010104947.tif 000010
【図５Ａ】
2010104947.tif 000011
【図５Ｂ】
2010104947.tif 000012
【図６Ａ】
2010104947.tif 000013
【図６Ｂ】
2010104947.tif 000014
【図７】
2010104947.tif 000015